(57)【要約】  モールドフレーム５が、フレーム開口の周縁の外向きに張り出して形成され、保護板３の外周部３ｂを裏面側から保持するフランジ部５ｂを備える。
2013140463.tif 000002
【特許請求の範囲】
【請求項１】
一面が開口し、導光体を含む照明光源部を収納するケースと、フレーム開口の周縁に内向きに張り出した第１のフランジ部が形成されており、前記ケースの開口部に取り付けられて、前記第１のフランジ部が前記ケースとの間で前記導光体を狭持するフレームとを有する保持筐体と、
前記フレームの第１のフランジ部に外周部が固定され、前記導光体により導光された光源からの光で背面側が照明される液晶表示パネルと、
前記液晶表示パネルの表示面側に取り付けられる保護板とを備える電子機器において、
前記フレームは、
前記フレーム開口の周縁の外向きに張り出して形成され、前記保護板の外周部を裏面側から保持する第２のフランジ部を備えることを特徴とする電子機器。
【請求項２】
前記第２のフランジ部を補強する補強用リブを備えることを特徴とする請求項１記載の電子機器。
【請求項３】
前記フレームは、非透光性部材で形成されることを特徴とする請求項１記載の電子機器。
【請求項４】
前記第２のフランジ部は、前記保護板の側面からの漏れ光を遮光する遮光壁部を備えることを特徴とする請求項３記載の電子機器。
【請求項５】
前記第２のフランジ部は、前記保持筐体を筐体本体に組み付けた状態で、前記筐体本体に設けた係合部と係合することにより、前記保持筐体の筐体本体に対する位置決めを行う位置決め用係合部を備えることを特徴とする請求項１記載の電子機器。
【発明の詳細な説明】
【技術分野】
【０００１】
この発明は、液晶表示装置などの保護板付きの表示部を有した電子機器に関する。
【背景技術】
【０００２】
液晶表示装置などの電子機器では、外部衝撃からの保護あるいは意匠性および光学特性の向上を目的として、表示パネルの上面に保護板が貼られている。なお、この保護板は、表示パネルの表示画面の外周に相当する部分に枠印刷が施された透明板部材である。
保護板を有する表示パネルを備えた従来の電子機器としては、例えば、特許文献１，２に開示されるものがある。
特許文献１に記載の電子機器は、表示パネルを機器本体に組み付けときに、表示パネルに貼り付けられた保護板を保持する特別な構造は有していない。
また、特許文献２に記載の電子機器は、表示パネルを組み付けるための開口部を有した意匠筐体ケースと、開口部の周縁に内向きに張り出すように形成された段差部とを備えており、表示パネルに貼り付けられた保護板の外周部を上記段差部に接着して保持する。
【先行技術文献】
【特許文献】
【０００３】
【特許文献１】特開２００９−８７０３号公報
【特許文献２】特開２００８−１１１９８４号公報
【発明の概要】
【発明が解決しようとする課題】
【０００４】
特許文献１に代表される従来の技術は、表示パネルを機器本体に組み付けときに、表示パネルに貼り付けられた保護板を保持する構造を有していないので、保護板の外周部は、不可避的に外部からの荷重に対する強度が不足する。例えば、タッチ操作の荷重で保護板が変形すると、表示ムラが発生する可能性がある。
また、特許文献２に代表される従来の技術は、保護板の外周部が意匠筐体ケースの段差部に接着されて強度は確保されるが、外部からの衝撃を直に受ける意匠筐体ケースであるにもかかわらず、意匠筐体ケースが破損してもリワークが困難である。【０００５】
この発明は、上記のような課題を解決するためになされたもので、機器のリワーク性を低下させずに保護板の剛性を確保できる電子機器を得ることを目的とする。
【課題を解決するための手段】
【０００６】
この発明に係る電子機器は、一面が開口し、導光体を収納するケースと、フレーム開口の周縁に内向きに張り出した第１のフランジ部が形成されており、ケースの開口部に取り付けられて、第１のフランジ部がケースとの間で導光体を狭持するフレームとを有する保持筐体と、フレームの第１のフランジ部に外周部が固定され、導光体により導光された光源からの光で背面側が照明される液晶表示パネルと、液晶表示パネルの表示面側に取り付けられる保護板とを備える電子機器において、フレームは、フレーム開口の周縁の外向きに張り出して形成され、保護板の外周部を裏面側から保持する第２のフランジ部を備える。
【発明の効果】
【０００７】
この発明によれば、機器のリワーク性を低下させずに保護板の剛性を確保できるという効果がある。
【図面の簡単な説明】
【０００８】
【図１】保護板付きの表示部を有する電子機器を示す正面図である。
【図２】従来の電子機器の構成を示す分解斜視図である。
【図３】従来の電子機器の構成を示す断面図である。
【図４】従来の電子機器の別の構成を示す断面図である。
【図５】この発明の実施の形態１に係る電子機器の構成を示す分解斜視図である。
【図６】実施の形態１に係る電子機器における保護板の保持構造を示す断面図である。
【図７】実施の形態１に係る電子機器における保護板の別の保持構造を示す断面図である。
【図８】実施の形態１に係る電子機器における保護板のさらに別の保持構造を示す断面図である。
【発明を実施するための形態】
【０００９】
以下、この発明をより詳細に説明するため、この発明を実施するための形態について、添付の図面に従って説明する。
実施の形態１．
図１は、保護板付きの表示部を有する電子機器を示す正面図である。図１に示す電子機器１は、液晶表示部を備えたスマートフォンやＰＮＤ（Ｐｏｒｔａｂｌｅ  Ｎａｖｉｇａｔｉｏｎ  Ｄｅｖｉｃｅ）などの携帯用の電子機器である。電子機器１の表示面側ケース２には、液晶表示パネルを保護するための保護板３が取り付けられる。保護板３には、表示画面３ａに対応する領域と、非透光性の着色で裏面が印刷された表示画面３ａの周囲の枠状領域３ｂが形成されている。
【００１０】
図２は、従来の電子機器の構成を示す分解斜視図であり、図１に示した携帯用電子機器の従来の一般的な構成を概略的に示している。従来の携帯用電子機器１’は、図２に示すように、表示面側ケース２、液晶表示パネル４、バックライト保持用フレーム５’、導光板６、バックライト保持用ケース７および裏面側ケース８を備える。
表示面側ケース２は、電子機器１’の表示面側の筐体を構成するフレーム状の意匠筐体であり、液晶表示パネル４の表示面側に取り付ける保護板３が配置されている。この表示面側ケース２および裏面側ケース８が電子機器１’の筐体本体となる。
【００１１】
保護板３は、透明材料で形成され、液晶表示パネル４の表示面を外部から保護する板状部材である。保護板３において、表示画面３ａの周囲は、非透光色（例えば黒色）で枠状に裏面が印刷された枠状領域３ｂとなっている。
液晶表示パネル４は、表示面側と裏面側の透明基板で液晶層を狭持し、液晶層に電界を印加する電極構造、カラーフィルタ、偏光板などで構成され、裏面側からバックライト光を照射されて画像を表示する。また、液晶表示パネル４は、表示面側が透明粘着シートにより保護板３に貼り付けられ、裏面側の外周部がバックライト保持用フレーム５’のフランジ部５ａに接着固定される。
【００１２】
バックライト保持用フレーム５’は、フレーム開口の周縁に内向きに張り出したフランジ部５ａが形成されたフレームである。また、導光板６は、ＬＥＤなどのバックライト用光源（図２において不図示）から出射された光を、拡散光として液晶表示パネル４の裏面へ照射する。バックライト保持用ケース７は、一面が開口しており、導光板６を含んだ照明光源部を収納するケースである。
バックライト保持用フレーム５’をバックライト保持用ケース７の開口部に取り付けると、フランジ部５ａが、バックライト保持用ケース７との間で導光板６を狭持して保持する。なお、導光板６や各種の光学シート、光源などを含む照明光源部（導光板６以外は不図示）は、バックライト保持用フレーム５’とバックライト保持用ケース７からなる保持筐体に収納される。
【００１３】
図３は、従来の電子機器の構成を示す断面矢視図であり、図１のＡ−Ａ線で従来の電子機器を切った矢印方向の断面を示している。図３において、表示面側ケース２と裏面側ケース８とからなる筐体本体には、表示面側に、透明粘着シート３Ａで保護板３が取り付けられた液晶表示パネル４が配設され、液晶表示パネル４の裏面側に、導光板６を収納するバックライト保持用フレーム５’とバックライト保持用ケース７からなる保持筐体が配設される。また、液晶表示パネル４の裏面側の外周部は、固定テープ３Ａ−１によりフランジ部５ａに接着固定されている。
図３に示す従来の電子機器１’では、特許文献１のように液晶表示パネル４を機器本体に組み付けときに保護板３を保持する特別な構造は有していない。すなわち、保護板３の表示面側からその外周部（枠状領域３ｂ）に所定以上の荷重が印加されると、保護板３が変形し、表示ムラが発生する可能性がある。
【００１４】
図４は、従来の電子機器の別の構成を示す断面矢視図であって、図３と同様に、図１のＡ−Ａ線で従来の電子機器を切った矢印方向の断面を示している。図４に示す従来の電子機器１’において、保護板３の裏面の外周部は、固定テープ３Ａ−２で表示面側ケース２に形成された段差部２Ａに接着固定されている。
すなわち、この電子機器１’では、特許文献２のように、液晶表示パネル４を機器本体に組み付けときに、表示面側ケース２の段差部２Ａによって保護板３の外周部が裏面から保持される。この構成では、外部からの荷重に対する保護板３の強度は確保されるが、表示面側ケース２が破損しても保護板３が接着されているため、リワークが困難である。
【００１５】
そこで、本発明では、バックライト保持用フレーム５’の代わりに、保護板３の外周部を裏面側から保持するフランジ部を形成したモールドフレームを使用する。このように構成することで、機器のリワーク性を低下させずに保護板３の剛性を確保できる。
図５は、この発明の実施の形態１に係る電子機器の構成を示す分解斜視図であり、実施の形態１に係る電子機器の構成を概略的に示している。図６は、実施の形態１に係る電子機器における保護板の保持構造を示す断面図であり、図１のＡ−Ａ線で図５の電子機器を切った矢印方向の断面を示している。図５に示す電子機器１は、表示面側ケース２、液晶表示パネル４、モールドフレーム５、導光板６、バックライト保持用ケース７および裏面側ケース８を備える。モールドフレーム５以外の構成は、図２と同様である。
【００１６】
モールドフレーム５は、導光板６を保持し液晶表示パネル４を取り付けるためのフランジ部５ａに加えて、フレーム開口の周縁の外向きに張り出したフランジ部５ｂを備える。
モールドフレーム５をバックライト保持用ケース７の開口部に取り付けることにより、従来と同様に、フランジ部５ａが、バックライト保持用ケース７との間で導光板６を狭持して保持する。また、フランジ部５ｂは、保護板３の枠状領域３ｂに沿ってフレーム開口の周縁の外向きに張り出した形状を有しており、固定テープ３Ａ−２により枠状領域３ｂに貼り付けられて保護板３の外周部を裏面から保持する。
【００１７】
このように構成することで、液晶表示パネル４が貼り付けられて保護板３にかかる重量が増加しても、新たな部品を追加することなく、モールドフレーム５のフランジ部５ｂを保護板３の外周部の裏面に接着することで、保護板３を保持する保持力が上げることができる。
また、フランジ部５ｂによって保護板３の外周部（枠状領域３ｂ）の剛性を上げることができ、外力を受けた保護板３の変形による表示ムラを防ぐこともできる。
保護板３の外周部にフランジ部５ｂを貼り付けるので、保護板３の枠状領域３ｂと表示面側ケース２との隙間から入った塵埃が液晶表示パネル４側に流入することを防止できる。
さらに、本発明は、表示面側ケース２および裏面側ケース８に変更を加えていないため、表示面側ケース２または裏面側ケース８に傷付きが発生しても、容易にリワークすることができる。
【００１８】
図５，図６に示すように、モールドフレーム５には、フランジ部５ｂを補強する補強用リブ５ｃを設けてもよい。ここでは、モールドフレーム５の側面と、保護板３に接着する面とは反対側（裏面側）のフランジ部５ｂの面とに渡って補強用リブ５ｃを設ける。補強用リブ５ｃには、剛性のある材料を使用する。例えば、モールドフレーム５を成形する際に、金属部材をインサートして補強用リブ５ｃを形成する。このようにフランジ部５ｂの剛性を上げることで、保護板３の剛性の向上を図ることができる。
【００１９】
また、モールドフレーム５が導光板６を保持する保持筐体の構成部材であることを利用して、フランジ部５ｂで導光板６からの漏れ光を遮光してもよい。
図７は、実施の形態１に係る電子機器における保護板の保持構造を示す断面図であり、図１のＡ−Ａ線で遮光性のフランジ部５ｂを有した電子機器を切った矢印方向の断面を示している。図７において、モールドフレーム５Ａは、黒色樹脂などの非透光性部材で形成されており、固定テープ３Ａ−２でフランジ部５ｂを保護板３の枠状領域３ｂ（黒色裏面印刷領域）に貼り付ける。このように構成することで、導光板６から液晶表示パネル４へ照射される光が、保護板３の枠状領域３ｂと表示面側ケース２との隙間から漏れることを防止できる。
【００２０】
さらに、図７に示すように、保護板３の側面からの光を遮光する遮光壁部５ｄをフランジ部５ｂに設けてもよい。遮光壁部５ｄは、保護板３の側面と、表示面側ケース２の開口部の保護板６側の端面との間に介在することで、導光板６から保護板３の内部を透過した光が遮光される。これにより、保護板３の側面から不要な光が漏れることを防止できる。
【００２１】
また、保護板３は、通常、ガラスあるいは平面板材の外周に枠状印刷を施して形成され、表示面側ケース２との間で特定の位置決め形状を設けることができない。そこで、本発明では、フランジ部５ｂに位置決め構造を設けてもよい。
図８は、実施の形態１に係る電子機器における保護板の保持構造を示す断面図であり、図１のＡ−Ａ線で位置決め構造を有した電子機器を切った矢印方向の断面を示している。図８に示すモールドフレーム５Ｂは、フランジ部５ｂの裏面に位置決め用ボス５ｅが形成されている。また、表示面側ケース２の開口部に内向きに張り出した板状部材を形成し、この板状部材に位置決め用孔部２ａを形成しておく。
【００２２】
フランジ部５ｂの位置決め用ボス５ｅは、保持筐体を表示面側ケース２に組み付けた状態で、表示面側ケース２に設けた位置決め用孔部２ａに嵌合することにより、保持筐体の表示面側ケース２に対する位置決めを行う。これにより、保護板３の外周部の裏面と表示面側ケース２の上記板状部材との間に略均一なギャップが形成され、保護板３の表示面側ケース２の開口部に対する出没を均一化することができる。
【００２３】
以上のように、この実施の形態１によれば、モールドフレーム５が、フレーム開口の周縁の外向きに張り出して形成され、保護板３の外周部３ｂを裏面側から保持するフランジ部５ｂを備えるので、機器のリワーク性を低下させずに、保護板３の剛性を確保することができる。また、保護板３を保持する保持力の向上を図ることができる。
【００２４】
また、この実施の形態１によれば、フランジ部５ｂを補強する補強用リブ５ｃを備えるので、保護板３の剛性の向上を図ることができる。
【００２５】
さらに、この実施の形態１によれば、モールドフレーム５が非透光性部材で形成されるので、導光板６から液晶表示パネル４へ照射される光が漏れることを防止できる。
【００２６】
さらに、この実施の形態１によれば、フランジ部５ｂが保護板３の側面からの漏れ光を遮光する遮光壁部５ｄを備えるので、保護板３の側面から不要な光が漏れることを防止できる。
【００２７】
さらに、この実施の形態１によれば、フランジ部５ｂが、保持筐体を表示面側ケース２に組み付けた状態で表示面側ケース２に設けた位置決め用孔部２ａに嵌合して保持筐体の表示面側ケース２に対する位置決めを行う位置決め用ボス５ｅを備えるので、保護板３の表示面側ケース２に対する位置決めを容易に行うことができる。
【００２８】
なお、本発明はその発明の範囲内において、実施の形態の任意の構成要素の変形、もしくは実施の形態の任意の構成要素の省略が可能である。
【産業上の利用可能性】
【００２９】
この発明に係る電子機器は、機器のリワーク性を低下させずに保護板の剛性を確保できるので、タッチパネルを有した携帯端末の表示装置に好適である。
【符号の説明】
【００３０】
１，１’  電子機器、２  表示面側ケース、２Ａ  段差部、２ａ  位置決め用孔部、３  保護板、３ａ  表示画面、３ｂ  枠状領域、３Ａ  透明粘着シート、３Ａ−１，３Ａ−２  固定テープ、４  液晶表示パネル、５，５Ａ，５Ｂ  モールドフレーム、５’  バックライト保持用フレーム、５ａ，５ｂ  フランジ部、５ｃ  補強用リブ、５ｄ  遮光壁部、５ｅ  位置決め用ボス、６  導光板、７  バックライト保持用ケース、８  裏面側ケース。
【図１】
2013140463.tif 000003
【図２】
2013140463.tif 000004
【図３】
2013140463.tif 000005
【図４】
2013140463.tif 000006
【図５】
2013140463.tif 000007
【図６】
2013140463.tif 000008
【図７】
2013140463.tif 000009
【図８】
2013140463.tif 000010
【手続補正書】
【提出日】平成26年12月11日(2014.12.11)
【手続補正１】
【補正対象書類名】明細書
【補正対象項目名】０００６
【補正方法】変更
【補正の内容】
【０００６】
この発明に係る電子機器は、一面が開口し、導光体を収納するケースと、フレーム開口の周縁に内向きに張り出した第１のフランジ部が形成されており、ケースの開口部に取り付けられて、第１のフランジ部がケースとの間で導光体を狭持するフレームとを有する保持筐体と、フレームの第１のフランジ部に外周部が固定され、導光体により導光された光源からの光で背面側が照明される液晶表示パネルと、液晶表示パネルの表示面側に貼り付けられる保護板とを備える電子機器において、フレームは、フレーム開口の周縁の外向きに張り出して形成され、保護板の外周部を裏面側から保持する第２のフランジ部を備える。
【手続補正２】
【補正対象書類名】明細書
【補正対象項目名】００２０
【補正方法】変更
【補正の内容】
【００２０】
さらに、図７に示すように、保護板３の側面からの光を遮光する遮光壁部５ｄをフランジ部５ｂに設けてもよい。遮光壁部５ｄは、保護板３の側面と、表示面側ケース２の開口部の保護板３側の端面との間に介在することで、導光板６から保護板３の内部を透過した光が遮光される。これにより、保護板３の側面から不要な光が漏れることを防止できる。
【手続補正３】
【補正対象書類名】特許請求の範囲
【補正対象項目名】全文
【補正方法】変更
【補正の内容】
【特許請求の範囲】
【請求項１】
一面が開口し、導光体を含む照明光源部を収納するケースと、フレーム開口の周縁に内向きに張り出した第１のフランジ部が形成されており、前記ケースの開口部に取り付けられて、前記第１のフランジ部が前記ケースとの間で前記導光体を狭持するフレームとを有する保持筐体と、
前記フレームの第１のフランジ部に外周部が固定され、前記導光体により導光された光源からの光で背面側が照明される液晶表示パネルと、
前記液晶表示パネルの表示面側に貼り付けられる保護板とを備える電子機器において、
前記フレームは、
前記フレーム開口の周縁の外向きに張り出して形成され、前記保護板の外周部を裏面側から保持する第２のフランジ部を備えることを特徴とする電子機器。
【請求項２】
前記第２のフランジ部を補強する補強用リブを備えることを特徴とする請求項１記載の電子機器。
【請求項３】
前記フレームは、非透光性部材で形成されることを特徴とする請求項１記載の電子機器。
【請求項４】
前記第２のフランジ部は、前記保護板の側面からの漏れ光を遮光する遮光壁部を備えることを特徴とする請求項３記載の電子機器。
【請求項５】
前記第２のフランジ部は、前記保持筐体を筐体本体に組み付けた状態で、前記筐体本体に設けた係合部と係合することにより、前記保持筐体の筐体本体に対する位置決めを行う位置決め用係合部を備えることを特徴とする請求項１記載の電子機器。
【国際調査報告】
2013140463.tif 000011
2013140463.tif 000012